(57)【特許請求の範囲】
【請求項１】
レンズを通して被写体を撮像する撮像手段と、
撮像した画像データを表示部へ表示する表示手段と、
前記表示部の輝度を切換える輝度切換制御手段と、
前記画像データを強調して表示させる強調処理手段と、
前記輝度切換制御手段によって切換えられる輝度が、所定の輝度よりも低いか否かを判定する判定手段と、
前記撮像する撮影条件を操作部により調節操作する調節手段と、
前記調節操作が行われていることを判定する調節操作判定手段と、を有し、
前記強調処理手段は、前記判定手段によって所定の輝度よりも低いと判定された場合かつ前記調節操作判定手段によって撮影条件の調節操作が行われていると判定された場合に、前記画像データを強調することを特徴とする撮像装置。
【請求項２】
前記撮影条件の調節操作は、前記操作部を介したズーム操作、フォーカス操作または露出操作であることを特徴とする請求項１に記載の撮像装置。
【請求項３】
レンズを通して被写体を撮像する撮像手段と、
撮像した画像データを表示部へ表示する表示手段と、
前記表示部の輝度を切換える輝度切換制御手段と、
前記画像データを強調して表示させる強調処理手段と、
前記輝度切換制御手段によって切換えられる輝度が、所定の輝度よりも低いか否かを判定する判定手段と、
前記画像データから主被写体と前記主被写体の周辺の背景とを測光する測光手段と、
前記測光手段による測光値に基づいて前記主被写体と前記背景とのコントラスト比を算出する算出手段と、を有し、
前記強調処理手段は、前記判定手段によって所定の輝度よりも低いと判定された場合かつ前記算出手段によって算出されたコントラスト比が小さいと判定された場合に、前記画像データを強調することを特徴とする撮像装置。
【請求項４】
前記強調処理手段は、前記画像データに含まれる被写体の輪郭に沿って線を重ね合わせて表示することで強調することを特徴とする請求項１乃至３の何れか１項に記載の撮像装置。
【請求項５】
前記画像データを重ね合わせる線の線色を選択する色選択手段を更に有し、
前記強調処理手段は、前記色選択手段により選択された線色の線を用いて前記画像データを強調することを特徴とする請求項４に記載の撮像装置。
【請求項６】
レンズを通して被写体を撮像する撮像ステップと、
撮像した画像データを表示部へ表示する表示ステップと、
前記表示部の輝度を切換える輝度切換制御ステップと、
前記画像データを強調して表示させる強調処理ステップと、
前記輝度切換制御ステップによって切換えられる輝度が、所定の輝度よりも低いか否かを判定する判定ステップと、
前記撮像する撮影条件を操作部により調節操作する調節ステップと、
前記調節操作が行われていることを判定する調節操作判定ステップと、を有し、
前記強調処理ステップでは、前記判定ステップによって所定の輝度よりも低いと判定された場合かつ前記調節操作判定ステップによって撮影条件の調節操作が行われていると判定された場合に、前記画像データを強調することを特徴とする撮像装置の画像表示方法。
【請求項７】
レンズを通して被写体を撮像する撮像ステップと、
撮像した画像データを表示部へ表示する表示ステップと、
前記表示部の輝度を切換える輝度切換制御ステップと、
前記画像データを強調して表示させる強調処理ステップと、
前記輝度切換制御ステップによって切換えられる輝度が、所定の輝度よりも低いか否かを判定する判定ステップと、
前記画像データから主被写体と前記主被写体の周辺の背景とを測光する測光ステップと、
前記測光ステップによる測光値に基づいて前記主被写体と前記背景とのコントラスト比を算出する算出ステップと、を有し、
前記強調処理ステップでは、前記判定ステップによって所定の輝度よりも低いと判定された場合かつ前記算出ステップによって算出されたコントラスト比が小さいと判定された場合に、前記画像データを強調することを特徴とする撮像装置の画像表示方法。
【請求項８】
レンズを通して被写体を撮像する撮像ステップと、
撮像した画像データを表示部へ表示する表示ステップと、
前記表示部の輝度を切換える輝度切換制御ステップと、
前記画像データを強調して表示させる強調処理ステップと、
前記輝度切換制御ステップによって切換えられる輝度が、所定の輝度よりも低いか否かを判定する判定ステップと、
前記撮像する撮影条件を操作部により調節操作する調節ステップと、
前記調節操作が行われていることを判定する調節操作判定ステップと、をコンピュータに実行させるためのプログラムであって、
前記強調処理ステップでは、前記判定ステップによって所定の輝度よりも低いと判定された場合かつ前記調節操作判定ステップによって撮影条件の調節操作が行われていると判定された場合に、前記画像データを強調することを特徴とするプログラム。
【請求項９】
レンズを通して被写体を撮像する撮像ステップと、
撮像した画像データを表示部へ表示する表示ステップと、
前記表示部の輝度を切換える輝度切換制御ステップと、
前記画像データを強調して表示させる強調処理ステップと、
前記輝度切換制御ステップによって切換えられる輝度が、所定の輝度よりも低いか否かを判定する判定ステップと、
前記画像データから主被写体と前記主被写体の周辺の背景とを測光する測光ステップと、
前記測光ステップによる測光値に基づいて前記主被写体と前記背景とのコントラスト比を算出する算出ステップと、をコンピュータに実行させるためのプログラムであって、
前記強調処理ステップでは、前記判定ステップによって所定の輝度よりも低いと判定された場合かつ前記算出ステップによって算出されたコントラスト比が小さいと判定された場合に、前記画像データを強調することを特徴とするプログラム。
【発明の詳細な説明】
【技術分野】
【０００１】
本発明は、撮像装置、その画像表示方法およびプログラムに関するものである。特に、輝度を切換可能な撮像装置に用いられて好適である。
【背景技術】
【０００２】
特許文献１には、例えば被写体像の輪郭などのコントラストの高い部分が高輝度で強調して表示されるピーキング処理が可能な電子カメラが開示されている。特許文献１に開示された電子カメラでは、オートフォーカスモードとマニュアルフォーカスモードとの切り換えに応じて、ピーキング処理のオン／オフが切り換えられる。
【先行技術文献】
【特許文献】
【０００３】
【特許文献１】特開２００１‐８６３８５号公報
【発明の概要】
【発明が解決しようとする課題】
【０００４】
しかしながら、上述した電子カメラでは、撮像画像が表示される表示パネルの輝度を暗くした場合（例えば、液晶パネルのバックライトを暗くしたり、自発光パネルの輝度を暗くしたりする場合）、表示パネル上に表示される撮像画像の視認性が低下してしまう。
また、被写体のコントラスト比が低い場合には、主被写体が見えづらくなるため、さらに被写体の視認性が低下する。このため、画角や被写体位置やピントなどの調節が困難になってしまうという問題があった。
【０００５】
本発明は、上述したような問題点に鑑みてなされたものであり、表示部の輝度が低い状態であっても、画像データの視認性を向上させることを目的とする。
【課題を解決するための手段】
【０００６】
本発明の撮像装置は、レンズを通して被写体を撮像する撮像手段と、撮像した画像データを表示部へ表示する表示手段と、前記表示部の輝度を切換える輝度切換制御手段と、前記画像データを強調して表示させる強調処理手段と、前記輝度切換制御手段によって切換えられる輝度が、所定の輝度よりも低いか否かを判定する判定手段と、前記撮像する撮影条件を操作部により調節操作する調節手段と、前記調節操作が行われていることを判定する調節操作判定手段と、を有し、前記強調処理手段は、前記判定手段によって所定の輝度よりも低いと判定された場合かつ前記調節操作判定手段によって撮影条件の調節操作が行われていると判定された場合に、前記画像データを強調することを特徴とする。
【発明の効果】
【０００７】
本発明によれば、表示部の輝度が低い状態であっても、撮像画像の視認性を向上させることができる。したがって、例えば使用者は撮影条件に関する調節操作を容易に行うことができる。
【図面の簡単な説明】
【０００８】
【図１】本実施形態に係る画像表示装置の構成を示す図である。
【図２】第１の実施形態に係る強調処理を示すフローチャートである。
【図３】第２の実施形態に係る強調処理を示すフローチャートである。
【図４】第３の実施形態に係る強調処理を示すフローチャートである。
【図５】第４の実施形態に係る強調処理を示すフローチャートである。
【図６】第１の実施形態に係る強調処理した画像データの一例を示す図である。
【図７】第２の実施形態に係る強調処理した画像データの一例を示す図である。
【図８】第３の実施形態に係る強調処理した画像データの一例を示す図である。
【発明を実施するための形態】
【０００９】
以下、本発明に係る実施形態について図面を参照して詳細に説明する。本実施形態では、画像表示装置としてデジタルカメラ（以下、カメラという）を例にして説明する。
（第１の実施形態）
図１は、カメラ１００の構成を示すブロック図である。
カメラ１００は、撮像部１、カメラ信号処理部２、表示制御部３、表示部４、画像信号処理部５、記録媒体インタフェース（Ｉ／Ｆ）部６、記録媒体７、システム制御部８、操作部９、レンズ１０、強調信号処理部１１、輝度切換制御部１２などを有している。
【００１０】
撮像部１は、例えばＣＣＤやＣＭＯＳなどであって、レンズ１０を介して連続的に入射される被写体光学像を電気信号に変換する。
カメラ信号処理部２は、撮像部１により変換された電気信号に対してＡ／Ｄ変換、信号レベル調節、画素補間、色変換などの所定の処理を行い、撮像画像としての画像データを生成する。また、カメラ信号処理部２は、画像データのコントラストなどを検出する。
表示制御部３は、表示部４に表示する画像データを制御する。
表示部４は、液晶パネルあるいは有機ＥＬパネルなどである。表示部４は、表示制御部３の制御に基づいて画像データを表示する。
画像信号処理部５は、カメラ信号処理部２で生成された画像データに対して圧縮／伸張あるいは拡大／縮小等の処理を行う。
記録媒体インタフェース部６は、記録媒体７への記録処理や読み込み処理を制御する。
記録媒体７は、ＤＶテープやＤＶＤやＳＤカード等である。
【００１１】
システム制御部８は、カメラ１００の各部を制御する。
操作部９は、使用者により操作される複数の操作スイッチである。操作部９には、電源スイッチ、動作切替スイッチ、フォトキー、画像記録開始キー、再生スイッチ、画像送りスイッチ、画像戻しスイッチ、画像表示キー、設定キー、操作キーなどが含まれる。また、操作部９には、表示部４の輝度を切り換えるための輝度切換スイッチが含まれる。
【００１２】
強調信号処理部１１は、画像信号処理部５で処理された画像データに対してピーキング処理やゼブラ処理などの強調処理を行う。ここで、ピーキング処理とは、被写体の輪郭（エッジ）を強調する処理をいう。また、ゼブラ処理とは、被写体の所定の領域を例えば白と黒との縞模様を施す処理をいう。
輝度切換制御部１２は、使用者による操作部９を介した操作に応じて表示部４の輝度を切り換える。
【００１３】
次に、第１の実施形態に係る、表示部の輝度が低い場合に撮像画像の視認性を向上させる強調処理について図２に示すフローチャートを参照して説明する。ここでは、カメラ１００は、視認性を向上させるために被写体に強調信号処理を行う。具体的には、表示部４の輝度が低く設定された場合、強調信号処理部１１が画像データにピーキング処理を行い、表示制御部３がピーキング処理を行った画像データを表示部４に表示する。
なお、図２に示すフローチャートは、システム制御部８が図示しないメモリに記録されているプログラムを実行することにより実現する。
【００１４】
まず、ステップＳ１０１では、システム制御部８は、使用者による操作部９の電源スイッチのオン操作に応じて、表示部４をはじめとしてカメラ１００全体を起動させる。ここでは、操作部９の動作切換スイッチにより撮像モードが設定されているものとする。したがって、表示制御部３は、レンズ１０を介して入射された被写体光学像が撮像部１によって電気信号に変換され、カメラ信号処理部２および画像信号処理部５によって処理された撮像画像としての画像データを表示部４に表示する。
【００１５】
次に、ステップＳ１０２では、システム制御部８は、使用者による操作部９の輝度切換スイッチの操作を検出し、輝度切換制御部１２に表示部４の輝度切換を指示する。輝度切換制御部１２は、輝度切換の指示に応じて表示部４の輝度を切り換える。ここで、システム制御部８は、切り換えられた表示部４の輝度が所定のレベルよりも低い（暗い）か否かを判定する。閾値となる所定のレベルの輝度は、予め図示しないメモリに記録されており、使用者が操作部９を用いて自由に設定できるように構成されていてもよい。
表示部４の輝度が所定のレベルよりも低くない場合、表示制御部３が継続して画像データを表示して表示部４の輝度が所定のレベルよりも低く設定されるまで待機する。一方、表示部４の輝度が所定のレベルよりも低い場合、ステップＳ１０３に進む。
【００１６】
ステップＳ１０３では、強調信号処理部１１は、画像信号処理部５により処理された画像データから被写体の輪郭（エッジ）部分を検出する。画像データから輪郭を検出する方法としては、公知のエッジ検出法などを用いることができる。強調信号処理部１１は、検出した輪郭部分を信号処理パラメータに従って強調する強調処理を行う。ここでは、強調処理としてピーキング処理を用いる。強調信号処理部１１はピーキング処理した画像データを表示制御部３に送信することで、表示制御部３はピーキング処理された画像データを表示部４に表示する。
【００１７】
なお、強調信号処理部１１が、被写体の輪郭を強調するピーキング処理を行う場合、被写体の輪郭に重ね合わせた線を追加することで強調処理することができる。このとき、線色は、使用者が操作部９を介して表示部４に表示されるメニューから複数の色（黒、白、青など）のうち一つを選択することができる。システム制御部８が選択された線色を強調信号処理部１１に設定することで（色選択手段）、強調信号処理部１１は設定された線色を用いて被写体の輪郭を強調する。なお、線色の選択は、後述する実施形態でも行うことができる。
【００１８】
図６は、本実施形態の処理によって、表示部の輝度が低い場合にピーキング処理をした画像データを表示した一例を示す図である。図６に示すように、表示部４の輝度が低い場合、被写体６１の輪郭に沿って輪郭を強調する線６２が表示されることで、強調処理されている。このように表示部４の輝度が低い場合に、被写体６１の輪郭を強調処理することによって、撮像画像の視認性を向上させることができる。
【００１９】
（第２の実施形態）
次に、第２の実施形態に係る、表示部の輝度が低い場合に撮像画像の視認性を向上させる強調処理について図３に示すフローチャートを参照して説明する。本実施形態では、表示部４の輝度が低く設定された場合、強調信号処理部１１が画像データの顔検出された領域に対してピーキング処理を行い、表示制御部３がピーキング処理を行った画像データを表示部４に表示する。
なお、図３に示すフローチャートは、システム制御部８が図示しないメモリに記録されているプログラムを実行することにより実現する。
【００２０】
ステップＳ２０１およびステップＳ２０２は、第１の実施形態のステップＳ１０１およびステップＳ１０２と同様の処理であり、その説明は省略する。
ステップＳ２０３では、画像信号処理部５は、画像データ内に人物の顔が存在するか否かを検出する顔検出処理を行う。顔を検出した場合、ステップＳ２０４に進み、顔を検出しなかった場合、強調処理を終了する。画像データから顔を検出する方法として、公知の顔検出などを用いることができる。
【００２１】
ステップＳ２０４では、強調信号処理部１１は、ステップＳ２０３で検出された顔の領域から輪郭（エッジ）部分を検出する。強調信号処理部１１は、検出した輪郭部分、すなわち顔の輪郭部分を信号処理パラメータに従って強調する強調処理を行う。ここでは、強調処理としてピーキング処理を用いる。強調信号処理部１１はピーキング処理した画像データを表示制御部３に送信することで、表示制御部３は顔の輪郭にピーキング処理された画像データを表示部４に表示する。
【００２２】
図７は、本実施形態の処理によって、表示部の輝度が低い場合にピーキング処理をした画像データを表示した一例を示す図である。図７に示すように、表示部４の輝度が低い場合、顔７１〜７３の輪郭に沿って輪郭を強調する線７４〜７６が表示されることで、強調処理されている。なお、顔７１〜７３を囲む矩形状の枠７７〜７９は、画像信号処理部５が顔を検出したときに表示する検出枠である。このように表示部４の輝度が低い場合に、顔７１〜７３の輪郭を強調処理することによって、撮像画像の視認性を向上させることができる。
【００２３】
（第３の実施形態）
次に、第３の実施形態に係る、表示部の輝度が低い場合に撮像画像の視認性を向上させる強調処理について図４に示すフローチャートを参照して説明する。本実施形態では、表示部４の輝度が低く設定され、更に画像データのコントラスト比が低い場合、強調信号処理部１１が画像データにピーキング処理を行い、表示制御部３がピーキング処理を行った画像データを表示部４に表示する。
なお、図４に示すフローチャートは、システム制御部８が図示しないメモリに記録されているプログラムを実行することにより実現する。
【００２４】
ステップＳ３０１およびステップＳ３０２は、第１の実施形態のステップＳ１０１およびステップＳ１０２と同様の処理であり、その説明は省略する。
ステップＳ３０３では、カメラ信号処理部２は、画像データにおける主被写体と主被写体の周辺の背景との光量をそれぞれ測定（測光）して、画像データのコントラスト比を算出する。カメラ信号処理部２は、算出したコントラスト比が所定のレベルよりも低いか否かを判定する。閾値となる所定のレベルのコントラスト比は、予め図示しないメモリに記録されており、使用者が操作部９を用いて自由に設定できるように構成されていてもよい。なお、コントラスト比が低い場合とは、主被写体と背景との光量が略等しく（明るさの差が少なく）、平坦な画像となってしまい主被写体の視認性が低下していることを意味する。
コントラスト比が所定のレベルよりも低い場合、ステップＳ３０４に進み、コントラスト比が所定のレベルよりも低くない場合、強調処理を終了する。
【００２５】
ステップＳ３０４では、強調信号処理部１１は、画像信号処理部５により処理された画像データから被写体の輪郭（エッジ）部分を検出する。強調信号処理部１１は、検出した輪郭部分を信号処理パラメータに従って強調する強調処理を行う。ここでは、強調処理としてピーキング処理を用いる。強調信号処理部１１は、ピーキング処理した画像データを表示制御部３に送信することで、表示制御部３はピーキング処理された画像データを表示部４に表示する。
【００２６】
図８は、本実施形態の処理によって、表示部の輝度が低く、更に画像データのコントラスト比が低い場合にピーキング処理をした画像データを表示した一例を示す図である。図８に示すように、被写体８１の輪郭に沿って輪郭を強調する線８２が表示されることで、強調処理されている。このように、本実施形態によれば、表示部の輝度が低く、更に画像データが低コントラストであり、被写体が見えづらい状態にある場合であっても、ピーキング処理などの強調処理を行うことで、被写体の視認性を向上させることができる。
【００２７】
（第４の実施形態）
次に、第４の実施形態に係る、表示部の輝度が低い場合に撮像画像の視認性を向上させる強調処理について図５に示すフローチャートを参照して説明する。本実施形態では、表示部４の輝度が低く設定され、更に撮影条件の調節操作がなされた場合、強調信号処理部１１が画像データにピーキング処理を行い、表示制御部３がピーキング処理を行った画像データを表示部４に表示する。
なお、図５に示すフローチャートは、システム制御部８が図示しないメモリに記録されているプログラムを実行することにより実現する。
【００２８】
ステップＳ４０１およびステップＳ４０２は、第１の実施形態のステップＳ１０１およびステップＳ１０２と同様の処理であり、その説明は省略する。
ステップＳ４０３では、システム制御部８は、使用者が操作部９を介してズーム操作、フォーカス操作、露出操作などにより撮影条件の調節操作が行われたか否かを判定する。調節操作が行われた場合、ステップＳ４０４に進み、調節操作が行われなかった場合、強調処理を終了する。
【００２９】
ステップＳ４０４では、強調信号処理部１１は、画像信号処理部５により処理された画像データから被写体の輪郭（エッジ）部分を検出する。強調信号処理部１１は、検出した輪郭部分を信号処理パラメータに従って強調する強調処理を行う。ここでは、強調処理としてピーキング処理を用いる。強調信号処理部１１は、ピーキング処理した画像データを表示制御部３に送信することで、表示制御部３はピーキング処理された画像データを表示部４に表示する。
【００３０】
このように本実施形態によれば、表示部の輝度が低く、更に撮影条件の調節操作がなされた場合に、画像データの被写体をピーキング処理などの強調処理を行うことで、被写体が視認し易くなるため撮影条件に関する調節操作を容易に行うことができる。
【００３１】
以上、本発明を第１〜第４の実施形態と共に説明したが、本発明はこれらの実施形態にのみ限定されるものではなく、本発明の範囲内で変更などが可能である。例えば、第１〜第４の実施形態を適宜、組み合わせ構成することができる。また、例えば、上述した第１〜第４の実施形態では、画像表示装置としてカメラを用いる場合について説明したが、この場合に限られず、撮像部１を備えていないディスプレイ装置であってもよい。
【００３２】
また、上述した実施形態では、表示部４の輝度を切り換える場合に、操作部９の輝度切換スイッチを用いる場合について説明したが、この場合に限られず、表示部４に表示されるメニュー設定から操作キーを用いて輝度を切り換えてもよい。また、上述した実施形態では、強調処理として、主にピーキング処理を行う場合について説明したが、この場合に限られず、ゼブラ処理を行うこともできる。ゼブラ処理としては、例えば被写体の輪郭によって囲まれる領域内に縞模様を施すことで実現できる。
【００３３】
また、本実施形態に係る画像表示装置を構成する各手段および画像表示方法の各ステップは、コンピュータのメモリなどに記憶されたプログラムが動作することによっても実現できる。このプログラムおよびこのプログラムを記録したコンピュータ読み取り可能な記録媒体は本発明に含まれる。
また、本発明は、例えばシステム、装置、方法、プログラムもしくは記録媒体などとしての実施形態も可能であり、具体的には複数の装置からなるシステムに適用してもよい。
【００３４】
なお、本発明は、上述した実施形態の機能を実現するプログラムを装置またはシステムに直接または遠隔から供給してもよい。すなわち、システムまたは装置のコンピュータが供給されたプログラムを読み出して実行することによっても本発明を達成される場合も含まれる。
【符号の説明】
【００３５】
１００：画像表示装置（カメラ）  １：撮像部  ２：カメラ信号処理部  ３：表示制御部  ４：表示部  ５：画像信号処理部  ６：記録媒体インタフェース（Ｉ／Ｆ）部  ７：記録媒体  ８：システム制御部  ９：操作部  １０：レンズ  １１：強調信号処理部  １２：輝度切換制御部
【図１】
0005930626.tif 000002
【図２】
0005930626.tif 000003
【図３】
0005930626.tif 000004
【図４】
0005930626.tif 000005
【図５】
0005930626.tif 000006
【図６】
0005930626.tif 000007
【図７】
0005930626.tif 000008
【図８】
0005930626.tif 000009